(57)【要約】【課題】無線内線端末が特定の場所に存在している場合に、自電話システムは、自動応答処理を設定することが出来るようにする。【解決手段】１以上の無線内線端末を収容する主装置と、主装置と接続される１以上の無線タグリーダから構成される電話システムであって、無線タグリーダは、着信の中継を禁止する着信中継禁止エリアに設置されており、主装置に帰属している無線内線端末に貼付された無線タグが記憶している端末ＩＤ情報と、無線タグリーダが記憶しているリーダＩＤ情報とを読み取った場合に、端末ＩＤ情報とリーダＩＤ情報を主装置へ通知し、主装置は、無線タグリーダから通知された端末ＩＤ情報とリーダＩＤ情報とを基に、無線内線端末の内線電話番号と当該無線内線端末に着信があった場合に自動応答する自動応答処理を対応付けて設定する。【選択図】  図１
2016032183.tif 000002
【特許請求の範囲】
【請求項１】
１以上の無線内線端末を収容する主装置と、前記主装置と接続される１以上の無線タグリーダと、から構成される電話システムであって、
前記無線タグリーダは、
近傍に存在する前記無線内線端末に装着されている所定の無線タグから前記無線内線端末を識別する端末ＩＤ情報を読み取り、読み取った端末ＩＤ情報と自無線タグリーダを識別するリーダＩＤ情報を前記主装置へ通知するＩＤ情報通知手段と、を有し、
前記主装置は、
所定の内線への着信に対して自動的に応答して１以上の自動応答処理のいずれかを実行する自動応答手段と、
内線電話番号と前記端末ＩＤ情報を予め対応付けて登録しておく端末ＩＤ情報登録手段と、
前記リーダＩＤ情報と前記１以上の自動応答処理のいずれかを予め対応付けて登録しておく自動応答処理登録手段と、を有し、
前記無線タグリーダのいずれかから、前記端末ＩＤ情報および前記リーダＩＤ情報を通知された場合に、前記自動応答処理登録手段を参照して前記通知されたリーダＩＤ情報に対応付けられた自動応答処理のいずれかを特定し、前記端末ＩＤ情報登録手段を参照して前記通知された端末ＩＤ情報に対応付けられた内線電話番号を特定し、前記特定した内線電話番号に対して前記特定した自動応答処理を設定することを特徴とする着信自動応答設定機能を有する電話システム。
【発明の詳細な説明】
【技術分野】
【０００１】
本発明は、着信を禁止するエリア内に無線内線端末が移動した場合に、当該無線内線端末の着信方法を自動切替する電話システムに関する。
【背景技術】
【０００２】
会議中に携帯電話端末が鳴動またはバイブレータ、ＬＥＤ点灯等の着信を表示することは、他の会議参加者にとって迷惑となることが多く、会議中の会議室は、着信禁止エリアとなることが望ましい。
【０００３】
これを解決する技術として、特許文献１には、携帯電話端末と通信網サーバとから構成される電話システムにおいて、携帯電話端末は、自端末が帰属している基地局情報を通信網サーバに送信し、これを受信した通信網サーバは、予め基地局毎に携帯電話端末の着信モード（着信鳴動、バイブレータ、自動留守応答等の着信方法）を記憶し、携帯電話端末の何れかが基地局に帰属すると当該基地局に対応づけられた着信モードを前記携帯電話端末に設定する技術が記載されている。
【０００４】
しかしながら、特許文献１の技術を内線無線端末と構内交換機を含む内線電話システムに採用しようとした場合、既存の内線無線端末を特許文献１に対応する内線無線端末に交換しなければならず、コストが嵩む。
【先行技術文献】
【特許文献】
【０００５】
【特許文献１】特開２００２−３００６６２号公報
【発明の概要】
【発明が解決しようとする課題】
【０００６】
本発明は、上記課題に鑑みてなされたものであり、その目的は、既存の内線電話システムの内線無線端末を入れ替えることなく、当該内線電話端末が存在するエリアに応じて着信方法を自動切替する技術を提供することにある。
【課題を解決するための手段】
【０００７】
上記課題を解決するために、本発明は、１以上の無線内線端末を収容する主装置と、前記主装置と接続される１以上の無線タグリーダと、から構成される電話システムであって、前記無線タグリーダは、近傍に存在する前記無線内線端末に装着されている所定の無線タグから前記無線内線端末を識別する端末ＩＤ情報を読み取り、読み取った端末ＩＤ情報と自無線タグリーダを識別するリーダＩＤ情報を前記主装置へ通知するＩＤ情報通知手段と、を有し、前記主装置は、所定の内線への着信に対して自動的に応答して１以上の自動応答処理のいずれかを実行する自動応答手段と、内線電話番号と前記端末ＩＤ情報を予め対応付けて登録しておく端末ＩＤ情報登録手段と、前記リーダＩＤ情報と前記１以上の自動応答処理のいずれかを予め対応付けて登録しておく自動応答処理登録手段と、を有し、前記無線タグリーダのいずれかから、前記端末ＩＤ情報および前記リーダＩＤ情報を通知された場合に、前記自動応答処理登録手段を参照して前記通知されたリーダＩＤ情報に対応付けられた自動応答処理のいずれかを特定し、前記端末ＩＤ情報登録手段を参照して前記通知された端末ＩＤ情報に対応付けられた内線電話番号を特定し、前記特定した内線電話番号に対して前記特定した自動応答処理を設定することを特徴とする。
【発明の効果】
【０００８】
本発明によれば、無線内線端末に無線タグを張り付けるだけで、内線電話端末が存在するエリアに応じて着信方法を自動切替することが出来る。従って、既存の内線無線端末を入れ替える必要が無いという利点がある。
【図面の簡単な説明】
【０００９】
【図１】本発明による電話システムの構成を示す図
【図２】記憶部に記憶されている無線内線端末の内線電話番号と当該無線内線端末に貼付されている無線タグの端末ＩＤ情報を関連付けたデータベースＡの記憶内容の例
【図３】記憶部に記憶されているリーダＩＤ情報と自動応答処理を関連付けたデータベースＢの記憶内容の例
【図４】記憶部に記憶されている内線電話番号と自動応答処理を関連付けたデータベースＣの記憶内容の例
【図５】本発明による電話システムを構成する主装置の動作フローチャート図
【発明を実施するための形態】
【００１０】
以下、本発明の実施の形態について、図面を用いて説明する。
【００１１】
図１は、本発明による電話システムの構成を示す図であって、構内交換機を示す主装置１、外線２、無線接続によって主装置１に帰属する構内コードレス電話機である無線内線端末３、有線接続または無線接続によって主装置１に接続する無線タグリーダ４、とから構成される。
【００１２】
主装置１は、外線インターフェース部１１、内線インターフェース部１２、アンテナ１２１、ＩＤ受信検知部１３、呼制御部１５、記憶部１６から構成される。
【００１３】
外線インターフェース部１１は、図示しない公衆網と接続するためのインターフェースであって、公衆網と呼制御部１５との間で発着信に係る制御信号や通話に係る音声信号を中継する。
【００１４】
内線インターフェース部１２は、アンテナ１２１とアンテナ３１を経由した無線内線端末３との接続手段であって、無線内線端末３と呼制御部１５との間で発着信に係る制御無線信号や音声無線信号を中継する。
【００１５】
ＩＤ受信検知部１３は、無線タグリーダ４が具備するＩＤ通知部４３（後述）からＩＤ情報を受信したことを検知するＩＤ受信検知手段であって、無線タグリーダ４が具備するＩＤ読み取り部４１において読み取った端末ＩＤ情報と、ＩＤ記憶部４２（後述）が記憶しているタグリーダを識別するための無線タグリーダ４の固有のリーダＩＤ情報とを呼制御部１５（後述）へ中継する。なお、無線タグリーダ４が具備するＩＤ通知部４３と主装置１が具備するＩＤ受信検知部１３との接続を本実施例では有線接続を例に説明をする。
【００１６】
呼制御部１５は、外線インターフェース部１１と内線インターフェース部１２からデータを受信し、主装置としての機能に係る制御全般を処理する。さらに、呼制御部１５は、ＩＤ受信検知部１３から端末ＩＤ情報およびリーダＩＤ情報を渡されると、端末ＩＤ情報に対応付けられた内線電話番号および、リーダＩＤ情報に対応する自動応答処理を特定する。そして、呼制御部１５は、前記特定した内線電話番号と前記特定した自動応答処理を対応付けて記憶部１６に記憶する。そして、無線内線端末３への着信を受付け、当該着信の宛先が自動応答処理を対応付けて記憶した内線電話番号であった場合に、呼制御部１５は、当該内線電話番号に対応する自動応答処理を実行する。
【００１７】
記憶部１６は、無線内線端末３の内線電話番号と当該無線内線端末３に貼付されている無線タグ３００の端末ＩＤ情報とを対応付けて記憶するデータベースＡと、リーダＩＤ情報と自動応答処理とを対応付けて記憶するデータベースＢと、内線電話番号と自動応答処理を対応付けて記憶するデータベースＣを具備する。
【００１８】
無線内線端末３は、主装置１と無線接続するためのアンテナ３１を具備する無線端末である。また、無線内線端末３は、ユーザによってＲＦタグである無線タグ３００が貼付けられている。無線タグ３００は、端末ＩＤ情報を記憶している。
【００１９】
無線タグリーダ４は、無線内線端末３に貼付された無線タグ３００から当該無線タグ３００が記憶しているＩＤ（Ｉｄｅｎｔｉｆｉｃａｔｉｏｎ）情報を読み取り、主装置１へ送信する無線タグリーダである。無線タグリーダ４は、着信の中継を禁止する着信中継禁止エリアである会議室や応接室等に設置される。無線タグリーダ４は、ＩＤ読み取り部４１、ＩＤ記憶部４２、ＩＤ通知部４３から構成される。
【００２０】
ＩＤ読み取り部４１は、無線内線端末３に貼付けられている無線タグ３００から端末ＩＤ情報を読み取り、読み取った端末ＩＤ情報をＩＤ通知部４３に渡す。
【００２１】
ＩＤ記憶部４２は、タグリーダを識別するための無線タグリーダ４の固有のリーダＩＤ情報を記憶する。
【００２２】
ＩＤ通知部４３は、ＩＤ読み取り部４１から端末ＩＤ情報を受信した場合、受信した端末ＩＤ情報とＩＤ記憶部４２に記憶しているリーダＩＤ情報を主装置１へ通知する。
【００２３】
図２は、記憶部１６に記憶されている無線内線端末３の内線電話番号と当該無線内線端末３に貼付されている無線タグ３００の端末ＩＤ情報を関連付けたデータベースＡの記憶内容例を模式的に表した図である。
【００２４】
図示するように、内線電話番号（フィールド２０１）と、端末ＩＤ情報（フィールド２０２）とが対応付けられて記憶される。フィールド２０１（内線電話番号）には、無線内線端末３の内線電話番号が記憶される。内線電話番号は主装置１に無線内線端末３を帰属させた時に割り当てられる番号である。フィールド２０２（端末ＩＤ情報）には、無線内線端末３に貼付された無線タグ３００が記憶している端末ＩＤ情報が記憶されている。例えば、図２の内線電話番号：１０（フィールド２０１）と対応付けられて記憶されている無線内線端末３に貼付されている無線タグ３００が記憶している端末ＩＤ情報（フィールド２０２）は、Ｔ１０であることを示している。
【００２５】
図３は、記憶部１６に記憶されているリーダＩＤ情報と自動応答処理とを関連付けたデータベースＢの記憶内容例を模式的に表した図である。
【００２６】
図示するように、リーダＩＤ情報（フィールド３０１）と、自動応答処理（フィールド３０２）とが対応付けられて記憶される。フィールド３０１（リーダＩＤ情報）には、タグリーダを識別するタグリーダ名称が記憶される。タグリーダ名称は、無線内線端末３が具備するキー（図示せず）押下によって設定入力した無線タグリーダ４の名称情報である。フィールド３０２（自動応答処理）には、無線内線端末３に着信があった場合に自動応答する処理が記憶される。例えば、図３のリーダＩＤ情報：Ｘ（フィールド３０１）と対応付けられて記憶されている自動応答処理（フィールド３０２）は、処理１であることを示している。
【００２７】
図４は、記憶部１６に記憶されている内線電話番号と自動応答処理を関連付けたデータベースＣの記憶内容例を模式的に表した図である。
【００２８】
図示するように、内線電話番号（フィールド４０１）と、自動応答処理（フィールド４０２）とが対応付けられて記憶される。主装置１は、着信があると当該着信の宛先が内線電話番号（フィールド４０１）に含まれる無線内線端末３か否かを判別し、当該着信の宛先が内線電話番号（フィールド４０１）に含まれる無線内線端末３の場合に、一致する内線電話番号（フィールド４０１）に対応する自動応答処理（フィールド４０２）の自動応答処理を実行する。
【００２９】
図５は、本発明による主装置１の動作フローチャート図である。以下、図１および図２および図３および図４を併用して、主装置１の動作フローを説明する。本フローは、主装置１の電源が投入された時にスタートする（Ｓ５００）。
【００３０】
待機状態において、主装置１は、無線タグリーダ４から端末ＩＤ情報とリーダＩＤ情報の受信を待つ（Ｓ５０１）。無線タグリーダ４から受信する端末ＩＤ情報は、無線内線端末３に貼付されている無線タグ３００が記憶している端末ＩＤ情報である。無線タグリーダ４から受信するリーダＩＤ情報は、タグリーダを識別するための無線タグリーダ４の固有のリーダＩＤ情報である。端末ＩＤ情報とリーダＩＤ情報の受信を検出すると（Ｓ５０１，ＹＥＳ）、一定時間（例えば１０秒間）、当該無線内線端末３からの登録要求受信を監視し、登録要求を受信した場合（Ｓ５０２，ＹＥＳ）、受信した登録要求が指定する自動応答処理を、ステップ５０１において受信した端末ＩＤ情報およびリーダＩＤ情報と対応付けて記憶部１６に登録し（Ｓ５０３）、ステップ５０１へ戻る。
【００３１】
無線内線端末３から受信する登録要求に含まれる情報は、例えば、無線内線端末３が備えるダイヤルキー（図示せず）を無線内線端末３の操作者が押下した「＃０１」であり、「＃０１」は自動応答処理の「処理１」であることを記憶部１６に予め登録してある。
【００３２】
待機状態において、主装置１は、端末ＩＤ情報とリーダＩＤ情報の受信を検出後（Ｓ５０１，ＹＥＳ）、一定時間（例えば１０秒間）、無線内線端末３からの登録要求受信を監視し、登録要求を受信しない場合（Ｓ５０２，ＮＯ）、受信した端末ＩＤ情報と対応付けられた内線電話番号が有るか、記憶部１６に記憶しているデータベースＡを検索する（Ｓ５１１）。検索の結果、該当の内線電話番号が有った場合（Ｓ５１１，ＹＥＳ）、受信した端末ＩＤ情報に対応付けられた内線電話番号を特定し一時記憶する（Ｓ５１２）。ステップ５０１において受信したリーダＩＤ情報と対応付けられた自動応答処理が有るか、記憶部１６に記憶しているデータベースＢを検索する（Ｓ５２１）。検索の結果、該当する自動応答処理が有った場合（Ｓ５２１，ＹＥＳ）、受信したリーダＩＤ情報に対応付けられた自動応答処理を特定し一時記憶する（Ｓ５２２）。ステップ５１２において特定して一時記憶した内線電話番号と、ステップ５２２において特定して一時記憶した自動応答処理を対応付けて記憶部１６のデータベースＣに記憶し（Ｓ５２３）、ステップ５０１へ戻る。
【００３３】
待機状態において、主装置１は着信を検出した場合（Ｓ５３１，ＹＥＳ）、呼制御部１５は、当該着信は自動応答処理と対応付けて設定した内線電話番号への着信であるか、記憶部１６に記憶しているデータベースＣ内を検索する（Ｓ５３２）。検索の結果、自動応答処理と対応付けて設定した内線電話番号への着信であった場合（Ｓ５３２，ＹＥＳ）、対応付けて設定されている自動応答処理を実行し（Ｓ５３３）、ステップ５０１へ戻る。検索の結果、自動応答処理と対応付けて設定した内線電話番号への着信でなかった場合（Ｓ５３２，ＮＯ）、通常着信処理を実行し（Ｓ５４０）、ステップ５０１へ戻る。
【００３４】
以上、本発明の実施形態について説明した。本実施形態によれば、無線内線端末３を収容する電話システムにおいて、特定の場所に無線内線端末３が存在する場合（すなわち無線内線端末３に貼付された無線タグ３００を着信中継禁止エリアに設置された無線タグリーダ４が検出した場合）に、主装置１は無線タグリーダ４から端末ＩＤ情報とリーダＩＤ情報を受信し、受信した端末ＩＤ情報と対応付けられた内線電話番号が有るかを検索するとともに、受信したリーダＩＤ情報と対応付けられた自動応答処理が有るかを検索し、それぞれの検索の結果から特定した内線電話番号と自動応答処理を対応付けて記憶することによって、無線内線端末３に対して着信があった場合に、着信に自動応答する着信自動応答処理を設定することが出来る。
【００３５】
なお、無線タグ３００の貼付位置は、無線内線端末３に限らない。無線内線端末３の使用者の名札等に貼付しても良い。
【００３６】
例えば、無線内線端末３が着信中継禁止エリア外に有り、無線内線端末３の使用者（使用者は名札等を身に付けている）が着信中継禁止エリア内にいる場合（無線内線端末３と無線内線端末３の使用者が身に付ける名札等の両方に無線タグ３００が貼付されている）、ＩＤ受信検知部１３が無線内線端末３の使用者が身に付ける名札等に貼付された無線タグ３００の端末ＩＤ情報の受信を検出したならば、無線内線端末３が着信中継禁止エリア内に存在していなくても、呼制御部１５は、所定の自動応答処理を設定しても良い。
【００３７】
なお、本願は主装置１が自動応答処理を設定しているが、無線タグリーダ４のみで主装置１が具備する自動応答処理を設定変更出来るようにしても良い。すなわち、主装置１がＷｅｂ（Ｗｏｒｌｄ  Ｗｉｄｅ  Ｗｅｂ）設定等による遠隔操作によって自動応答処理が設定できるシステムにおいて、着信中継禁止エリア内に設置された無線タグリーダ４が端末ＩＤ情報を読み取った場合に、当該端末ＩＤ情報を持つ無線タグ３００が貼付された無線内線端末３に対する着信において自動応答処理を実行し、着信中継禁止エリア内に設置された無線タグリーダ４が端末ＩＤ情報を読み取らなくなった場合に、当該端末ＩＤ情報を持つ無線タグ３００が貼付された無線内線端末３に対する着信において自動応答処理無しの設定に変更するようにしても良い。
【符号の説明】
【００３８】
１・・・主装置
２・・・外線
３・・・無線内線端末
４・・・無線タグリーダ
１１・・・外線インターフェース部
１２・・・内線インターフェース部
１３・・・ＩＤ受信検知部
１５・・・呼制御部
１６・・・記憶部
３１・・・アンテナ
４１・・・ＩＤ読み取り部
４２・・・ＩＤ記憶部
４３・・・ＩＤ通知部
１２１・・・アンテナ
３００・・・無線タグ
【図１】
2016032183.tif 000003
【図２】
2016032183.tif 000004
【図３】
2016032183.tif 000005
【図４】
2016032183.tif 000006
【図５】
2016032183.tif 000007